(57)【要約】【課題】雑草の発生を防止することができ、給水作業や施肥作業の大幅な省力化が可能な緑化構造を提供する。【解決手段】緑化構造１００は、建築物の躯体１０上に形成された植物育成可能な植栽層１１と、植栽層１１に植物育成用の養分及び水分を供給するため当該植栽層１１内に配置された液体供給手段１４である液体タンク１２及び液体送給経路１３と、を備え、植栽層１１は、土質材、セメント系固化剤、団粒化剤及び水の混練物を固化させて形成されている。液体供給手段１４を構成する液体タンク１２は植栽層１１内に埋設され、同じく液体供給手段を構成する液体送給経路１３は液体タンク１２と連通した状態で植栽層１１内に配設されている。液体送給経路１３は管状体で形成され、その上面側に複数の貫通孔１３ａが所定間隔ごとに開設されている。【選択図】図２
2013233103.tif 000002
【特許請求の範囲】
【請求項１】
所定の設置面上に形成された植物育成可能な植栽層と、前記植栽層に植物育成用の養分及び水分を供給するため当該植栽層内に配置された液体供給手段と、を備え、前記植栽層を、土質材、セメント系固化剤、団粒化剤及び水の混練物を固化させて形成したことを特徴とする緑化構造。
【請求項２】
前記液体供給手段として、前記植栽層内に埋設した液体タンクと、前記液体タンクと連通した状態で前記植栽層内に配設された液体送給経路と、を設けた請求項１記載の緑化構造。
【請求項３】
前記団粒化剤として、アクリル酸・メタクリル酸ジメチルアミノエチル共重合物のマグネシウム塩とポリエチレンイミンとの複合体からなる高分子化合物を用いた請求項１または２記載の緑化構造。
【発明の詳細な説明】
【技術分野】
【０００１】
本発明は、鉄筋コンクリートビルや一般住宅などの各種建築物の屋上やベランダあるいは地盤面上などにおいて植物を育成させるための緑化構造に関する。
【背景技術】
【０００２】
建築物の屋上やベランダなどで植物を育成するための緑化構造については、従来、様々な方式が開発されているが、本発明に関連するものとして、特許文献１記載の「緑化装置」あるいは特許文献２記載の「緑化構造物」などがある（以下、緑化構造と称する。）。
【０００３】
特許文献１記載の緑化構造は、ＦＲＰなどで形成された貯水槽と、貯水槽内の底面上に複数の角材状体を所定間隔ごとに配設して形成された受台部と、受台部上に載置された受け網及び不織布と、不織布上に充填された基礎土壌と、を備えている。
【０００４】
特許文献２記載の緑化構造は、耐久性防水処理が施された屋上路盤上に配置された土壌層と、土壌層内の下部に埋設された導水管と、土壌層の下側に配置された保水拡散材と、保水拡散材の下側に配置された透水性遮根シートと、透水性遮根シートの下側に配設された排水材と、を備えている。
【先行技術文献】
【特許文献】
【０００５】
【特許文献１】特開２００２−１７１６１号公報
【特許文献２】特開平７−８１１４号公報
【発明の概要】
【発明が解決しようとする課題】
【０００６】
特許文献１，２記載の緑化構造はいずれも土壌層に水分を供給する給水手段を有しているので、頻繁に散水を行う必要がない点では優れているが、土壌層の透水性及び保水性のバランスが良好でないので、雨天時に降り注ぐ雨水の保水性が不充分であったり、給水手段から土壌層に供給される水分が土壌層全体に均等に行き渡らなかったりすることがあり、植物の生育不良が発生する可能性がある。
【０００７】
また、風雨などによって飛来したり、鳥類などによって緑化構造部分に持ち込まれたりした雑草の種子が土壌層に活着して、雑草が繁茂することが多い。
【０００８】
本発明が解決しようとする課題は、雑草の発生を防止することができ、給水作業や施肥作業を大幅に省力化することができる緑化構造を提供することにある。
【課題を解決するための手段】
【０００９】
本発明の緑化構造は、所定の設置面上に形成された植物育成可能な植栽層と、前記植栽層に植物育成用の養分及び水分を供給するため当該植栽層内に配置された液体供給手段と、を備え、前記植栽層を、土質材、セメント系固化剤、団粒化剤及び水の混練物を固化させて形成したことを特徴とする。ここで、前記「所定の設置面」という文言は、建築物の躯体面あるいは地盤面など、緑化構造を支持することができる面を意味している。
【００１０】
このような構成とすれば、セメント系固化剤の作用によって固化した植栽層はアスファルト舗装程度に硬いので、その表面に雑草の種子が飛来しても活着し難く、植栽層中に存在する雑草種子の発芽も硬質の植栽層によって遮られるので、雑草の発生を防止することができる。
【００１１】
また、土質材、セメント系固化剤、団粒化剤及び水を混合して形成された直後で固化前の混練物中では、団粒化剤に含まれるイオンの作用により土質材とセメント系固化剤の粒子とが立体的な団粒構造を形成する結果、連続した空隙が発生するため、固化後の植栽層は透水性と保水性とをバランス良く兼備し、通気性も良好となる。従って、植栽層に植え込まれた植物は順調に生育し、景観の良好な緑化構造を構築することができる。
【００１２】
さらに、植栽層に植物育成用の養分及び水分を供給するための液体供給手段が当該植栽層内に配置されているため、給水や施肥を頻繁に行う必要がなくなり、給水作業や施肥作業を大幅に省力化することができる。また、前記液体供給手段を用いて、植栽層の内部から当該植栽層への養分や水分の供給を行うことにより、植栽層の表面に飛来した雑草の種子への養分や水分の供給が抑制されるので、雑草の発芽を大幅に防止することができる。
【００１３】
ここで、前記液体供給手段として、前記植栽層内に埋設した液体タンクと、前記液体タンクと連通した状態で前記植栽層内に配設された液体送給経路と、を設けることが望ましい。
【００１４】
このような構成とすれば、施工が容易で簡素な構造でありながら、長期間に亘って、安定した給水及び施肥を行うことができる。
【００１５】
一方、前記団粒化剤として、アクリル酸・メタクリル酸ジメチルアミノエチル共重合物のマグネシウム塩とポリエチレンイミンとの複合体からなる高分子化合物を用いることが望ましい。
【００１６】
このような団粒化剤を使用すれば、植栽層中に強固な団粒構造が形成されるので、透水性と保水性とをバランス良く兼備し、通気性も良好であって、強度と耐久性に優れた植栽層を形成することができる。
【発明の効果】
【００１７】
雑草の発生を防止することができ、給水作業や施肥作業を大幅に省力化することができる緑化構造を提供することができる。
【図面の簡単な説明】
【００１８】
【図１】本発明の実施形態である緑化構造を示す模式図である。
【図２】図１に示す緑化構造の垂直断面図である。
【図３】図１に示す緑化構造の施工に使用する混練物の形成工程を示す図である。
【発明を実施するための形態】
【００１９】
図１，図２に示すように、本実施形態の緑化構造１００は、建築物の躯体１０上に形成された植物育成可能な植栽層１１と、植栽層１１に植物育成用の養分及び水分を供給するため当該植栽層１１内に配置された液体供給手段１４である液体タンク１２及び液体送給経路１３と、を備え、植栽層１１は、土質材、セメント系固化剤、団粒化剤及び水の混練物を固化させて形成されている。
【００２０】
液体供給手段１４を構成する液体タンク１２は植栽層１１内に埋設され、同じく液体供給手段を構成する液体送給経路１３は液体タンク１２と連通した状態で植栽層１１内に配設されている。液体送給経路１３は管状体で形成され、その上面側に複数の貫通孔１３ａが所定間隔ごとに開設されている。なお、図１，図２においては１本の液体送給経路１３のみを表示しているが、これに限定するものではないので、植栽層１１の厚さや広さに応じて複数の液体送給経路１３を配設することもできる。
【００２１】
図１，図２に示すように、液体タンク１２に液肥などを注入するための注液経路１５が植栽層１１の表面１１ａから液体タンク１２に向かって配設されている。注液経路１５の基端開口部１５ａは植栽層１１の表面１１ａから突出して配置され、通常は開閉蓋１５ｂによって閉塞されている。また、液体タンク１２内の液体Ｒの液面高さを検知するための液面センサ１２ａが液体タンク１２内に配置され、その検知信号に基づいて液体タンク１２内の液体Ｒの残量を表示する液面計１６が基端開口部１５ａ近傍の植栽層１１の表面１１ａ上に配置されている。液体Ｒは限定しないので、例えば、液肥あるいは液肥や化学肥料などを適度に溶かし込んだ水溶液を使用することができる。
【００２２】
ここで、緑化構造１００の施工方法について説明する。図３に示すように、土質材１及びセメント系固化剤２をミキサ５に投入して、十分に撹拌、混合する。ミキサ５はモータ６などを動力源とする撹拌混合機能を有するものを用いることができる。土質材１としては、真砂土、シラス、焼却灰あるいは土砂などを使用することができる。なお、土質材１の代わりに、若しくは土質材１と併せて、瓦の廃材、ガラスの廃材あるいは溶融スラグの粉砕物などを使用することもできる。
【００２３】
土質材１とセメント系固化剤２とが均一に混合されたら、アクリル酸・メタクリル酸ジメチルアミノエチル共重合物のマグネシウム塩とポリエチレンイミンとの複合体からなる高分子化合物を含む団粒化剤３及び水４を添加し、さらに撹拌、混練することによって混練物７を形成する（混練工程）。なお、撹拌混合手段は限定しないので、施工条件に適したものを使用することができる。
【００２４】
混練物７を構成する各成分の混合比率は特に限定はしないが、本実施形態においては次の通りである。
土質材１：１０００ｋｇ〜１５００ｋｇ
セメント系固化剤２：１００ｋｇ〜２００ｋｇ
団粒化剤３：１リットル〜１０リットル
水４：適量（混練物７の流動性や固さなどを確認しながら量を調整する。）
【００２５】
一方、緑化構造１００の施工予定領域である建築物の躯体１０上に液体タンク１２、液体送給経路１３及び注液経路１５（図２参照）などを配置する。また、躯体１０の表面１０ａと液体送給経路１３及び注液経路１５との間に隙間を設ける場合は、これらの間にスペーサ１７を介在させる。この後、図３に示す混練工程で得られた混練物７を、躯体１０の表面１０ａ上に打設して植栽層１１を形成する（造成工程）。この後、植栽層１１が固化する前に、植栽層１１の表面１１ａに植栽穴（図示せず）を形成する（造穴工程）。この場合、植込穴の深さや間隔は限定しないので、施工条件に応じて任意に設定することができる。
【００２６】
次に、前記造穴工程の完了後、１５時間程度養生することにより、植栽層１１が十分に固化したら、前述した造穴工程で形成された植栽穴に植物Ｐを植え込む（定植工程）。また、植栽層１１の表面１１ａに露出している開閉蓋１５ｂを開いて、植物Ｐに適した養分及び水分を含む液体Ｒ（例えば、液肥あるいは肥料と水との混合液など）を基端開口部１５に注入する。液体タンク１２内に適量の液体Ｒが収容されたことが液面計１６で確認できたら、注入を止め、開閉蓋１５ｂで基端開口部１５ａを閉塞する。
【００２７】
植え込み及び液体Ｒの注入が完了した後、日数が経過すると、活着した植物Ｐから植栽層１１に向かって根が生長していくとともに、植物Ｐ全体が生育していき、やがて緑化構造１００が形成される。植物Ｐが植栽層１１に活着して生育していく過程において、植栽層１１の表面１１ａに雑草種子が飛来することがあっても、植栽層１１が硬質であるので活着することができず、植栽層１１中に存在する雑草種子も硬質の植栽層１１によって発芽が妨げられるので、雑草の発生を防止することができる。
【００２８】
また、植栽層１１は、その表面１１ａ上を人間が歩行することができる程度に硬質であるため、植物Ｐの手入れなどの際の作業性が良好であり、風雪や降雨などによって崩壊したり、流出したりすることもないので、耐久性に優れている。さらに、夏場の気温上昇時などは、植栽層１１中に保持されている水分が順次上昇して表面１１ａから蒸発し、蒸発過程で熱を奪うので、躯体１０や周辺の気温上昇を防止することもできる。
【００２９】
本実施形態において、前述した造成工程で形成された直後で固化前の植栽層１１中では、団粒化剤３に含まれるイオンの作用により土質材１とセメント系固化剤２の粒子とが立体的な団粒構造を形成する結果、連続した空隙が発生するため、固化後の植栽層１１は透水性と保水性とをバランス良く兼備し、通気性も良好となる。従って、植栽層１１に形成された植栽穴に植え込まれた植物Ｐは順調に生育し、景観の良好な緑化構造１００を形成することができる。
【００３０】
また、植栽層１１に植え込まれた植物Ｐに養分及び水分を供給するための液体供給手段１４が植栽層１１内に配置されているため、緑化構造１００の施工後は、液体タンク１２内の液体Ｒの残量を液面計１６で確認しながら、必要に応じて、基端開口部１５ａから液体Ｒを注入すればよい。従って、給水や施肥を頻繁に行う必要がなくなり、給水作業や施肥作業を大幅に省力化することができる。また、液体供給手段１４により、植栽層１１の内部から養分や水分の供給を行うので、植栽層１１の表面に飛来した雑草の種子への養分や水分の供給が抑制され、雑草の発芽を防止することができる。
【００３１】
緑化構造１００においては、液体供給手段１４として、植栽層１１内に埋設した液体タンク１２と、液体タンク１２と連通した状態で植栽層１１内に配設された液体送給経路１３と、を設けている。従って、施工が容易で簡素な構造でありながら、長期間に亘って、安定した給水及び施肥を行うことができる。
【００３２】
一方、団粒化剤３として、アクリル酸・メタクリル酸ジメチルアミノエチル共重合物のマグネシウム塩とポリエチレンイミンとの複合体からなる高分子化合物を使用しているため、植栽層１１中に強固な団粒構造が形成される結果、透水性と保水性とをバランス良く兼備し、通気性も良好であって、強度と耐久性に優れた植栽層１１が得られる。なお、団粒化剤３は限定しないが、本実施形態においては、有限会社グローバル研究所のＧＢ−２０００（商品名）を使用している。
【００３３】
なお、本実施形態に係る緑化構造１００は、本発明の一例を示すものであり、本発明の緑化構造は前述した緑化構造１００に限定されるものではない。また、緑化構造１００は建築物の躯体１０上に施工されているが、施工場所は限定しないので、緑化構造１００を支持できる面であれば、例えば、地盤面上などにも施工することもできる。
【産業上の利用可能性】
【００３４】
鉄筋コンクリートビルや一般住宅などの各種建築物の屋上やベランダあるいは地盤面上などにおいて植物を育成させるための緑化構造として、土木建設業や園芸産業などの分野において広く利用することができる。
【符号の説明】
【００３５】
１土質材  
２  セメント系固化剤
３  団粒化剤
４  水
５  ミキサ
６  モータ
７  混練物
１０  躯体
１０ａ，１１ａ  表面
１２  液体タンク
１２ａ  液面センサ
１３  液体送給経路
１３ａ  貫通孔
１４  液体供給手段
１５  注液経路
１５ａ  基端開口部
１５ｂ  開閉蓋
１６  液面計
１７  スペーサ
１００  緑化構造
Ｐ  植物
Ｒ  液体
【図１】
2013233103.tif 000003
【図２】
2013233103.tif 000004
【図３】
2013233103.tif 000005